(57)【要約】【課題】紙帯の結束位置を金種別に容易に変更することが可能な紙幣整理装置を提供する。【解決手段】紙幣Ｐを投入する投入部５と、投入部５から１枚毎に繰出された紙幣Ｐの種別を認識する識別部７と、ステージ３１上に識別部７で識別された種別に応じて紙幣Ｐを種別毎に集積する複数の一時集積部１５と、所定の結束枚数の紙幣Ｐを移送されたままの状態で結束して排出する施封部２３と、一時集積部１５に集積された所定の結束枚数の紙幣Ｐを把持して、それぞれの一時集積部１５から施封部２３へ紙幣Ｐを束のまま移送する移送部２０とを備えた紙幣整理装置１において、一時集積部１５または移送部２０を用いて、施封部２３へ移送する所定の結束枚数の紙幣Ｐの長手方向の位置を、紙幣Ｐの結束位置に応じて予め移動させておく。【選択図】        図１
2008250982.tif 000002
【特許請求の範囲】
【請求項１】
紙幣を投入する投入部と、該投入部から１枚毎に繰出された紙幣の種別を認識する識別部と、ステージ上に前記識別部で識別された種別に応じて紙幣を種別毎に集積する複数の一時集積部と、所定の結束枚数の紙幣を移送されたままの状態で結束して排出する施封部と、前記一時集積部に集積された所定の結束枚数の紙幣を把持して、前記それぞれの一時集積部から前記施封部へ紙幣を束のまま移送する移送部とを備えた紙幣整理装置において、
前記一時集積部および前記移送部のいずれか一方を用いて、前記施封部へ移送する所定の結束枚数の紙幣の長手方向の位置を、紙幣の結束位置に応じて予め移動させておくことを特徴とする紙幣整理装置。
【請求項２】
請求項１において、
前記一時集積部は、前記ステージ上に集積された紙幣の長手方向を整位するときの基準面を有すると共に、紙幣の長手方向に往復移動可能に構成された基準板と、前記ステージ上に集積された紙幣の長手方向を、前記基準面に整位させる整位アームと、を備え、
前記一時集積部に集積する紙幣の結束位置に応じて、前記基準板の長手方向の位置を移動させることを特徴とする紙幣整理装置。
【請求項３】
請求項１において、
前記移送部は、前記ステージ上に集積された紙幣を、短手方向に沿って束のまま把持する一対の把持爪と、前記把持爪を紙幣の長手方向に往復移動させる位置決め機構と、を備え、
前記一時集積部に集積された所定の結束枚数の紙幣を前記把持爪で把持して前記施封部へ移送するときに、前記位置決め機構により、前記把持爪に把持された紙幣の長手方向の位置を移動させることを特徴とする紙幣整理装置。
【請求項４】
請求項２または請求項３において、
前記一時集積部に、前記ステージ上に集積される紙幣の先端を整位すると共に、紙幣の短手方向に往復移動可能に構成された開閉可能なシャッタを設け、
該シャッタを、前記一時集積部に集積する紙幣の短手方向の長さに応じて短手方向に移動させることを特徴とする紙幣整理装置。
【請求項５】
紙幣を集積するステージと、該ステージ上に集積された紙幣の長手方向を整位するときの基準面を有すると共に、紙幣の長手方向に往復移動可能に構成された基準板と、前記ステージ上に集積された紙幣の長手方向を、前記基準面に整位させる整位アームとを有し、紙幣を種別毎に集積する複数の一時集積部と、
所定の結束枚数の紙幣を移送されたままの状態で結束して排出する施封部と、
前記一時集積部に集積された所定の結束枚数の紙幣を把持して、前記それぞれの一時集積部から前記施封部へ紙幣を束のまま移送する移送部と、を備えた紙幣整理装置であって、
紙幣を結束する結束位置の入力を、金種別に受付ける手段と、
該入力された金種別の結束位置を記憶する記憶手段と、
前記一時集積部に集積する紙幣の金種を基に、前記記憶手段から当該金種の結束位置を読出す手段と、
当該一時集積部の基準板を、前記読出した当該金種の結束位置に応じて長手方向に移動させる手段と、を備えることを特徴とする紙幣整理装置。
【請求項６】
ステージ上に紙幣を種別毎に集積する複数の一時集積部と、
所定の結束枚数の紙幣を移送されたままの状態で結束して排出する施封部と、
前記一時集積部のステージ上に集積された所定の結束枚数の紙幣を、短手方向に沿って束のまま把持する一対の把持爪と、前記把持爪を紙幣の長手方向に往復移動させる位置決め機構とを有し、前記それぞれの一時集積部から前記施封部へ紙幣を束のまま移送する移送部と、を備えた紙幣整理装置であって、
紙幣を結束する結束位置の入力を、金種別に受付ける手段と、
該入力された金種別の結束位置を記憶する記憶手段と、
前記一時集積部に集積する紙幣の金種を基に、前記記憶手段から当該金種の結束位置を読出す手段と、
当該一時集積部に集積された紙幣を、前記把持爪で束のまま把持する手段と、
紙幣を束のまま把持した前記把持爪を、前記読出した当該金種の結束位置に応じて長手方向に移動させる手段と、を備えることを特徴とする紙幣整理装置。
【請求項７】
請求項５または請求項６において、
前記一時集積部に、前記ステージ上に集積される紙幣の先端を整位すると共に、紙幣の短手方向に往復移動可能に構成された開閉可能なシャッタを設け、
紙幣の短手方向の長さを金種別に記した整理情報テーブルを格納する手段と、
前記一時集積部に集積する紙幣の金種を基に、前記整理情報テーブルから当該金種の短手方向の長さを読出す手段と、
当該一時集積部の前記シャッタを、前記読出した当該金種の短手方向の長さに応じて短手方向に移動させる手段と、を備えることを特徴とする紙幣整理装置。
【発明の詳細な説明】
【技術分野】
【０００１】
本発明は、銀行等の金融機関および大型ディスカウント店等の流通業に設置され、紙幣を計数、整理して所定の結束枚数の束に結束する紙幣整理装置に関する。
【背景技術】
【０００２】
従来の紙幣整理装置は、紙幣を投入する投入部と、投入部から搬送された紙幣の金種、正損等の各種の識別を行う識別部と、識別部の識別結果に基づいて紙幣を金種、正損等からなる種別毎に集積する複数の一時集積部と、一時集積部に集積された所定の結束枚数の紙幣をテープで結束して放出する施封部と、一時集積部に集積された所定の結束枚数の紙幣を施封部へ移送する移送部と、識別部で識別された紙幣の種別毎の計数結果の表示等を行う表示画面とタッチパネルを有する操作表示部とを備えて構成され、一つの一時集積部に集積された紙幣が所定の結束枚数（１００枚）になったときに、その一時集積部の紙幣を束のまま一時集積部から移送部により施封部へ移送し、移送された１００枚の紙幣を移送されたままの状態で結束して排出している（例えば、特許文献１参照。）。
【特許文献１】特開２００２−１９７５０９号公報（主に第３頁段落０００７−第５頁段落００２９、第６頁段落００３６、第１図）
【発明の開示】
【発明が解決しようとする課題】
【０００３】
海外向けの紙幣整理装置の場合には、その仕向地、例えば中国、韓国、台湾では、それぞれの国毎に紙幣を結束するときの紙幣の金種別の結束位置、つまり紙幣の長手方向の一の端面から紙幣を結束する紙帯等の結束帯までの距離が異なっており、仕向地毎に結束位置を変更して出荷することが必要になる。
しかしながら、上述した従来の技術においては、紙幣を複数の一時集積部に種別毎に集積し、一つの一時集積部に集積された紙幣が１００枚になったときに、その一時集積部の紙幣を束のまま施封部へ移送して移送されたままの状態で結束しているため、結束位置は紙幣の金種が異なっていても同じ位置で結束されてしまい、仕向地に応じて紙帯の金種別の結束位置を変更することができないという問題がある。
【０００４】
このため、紙幣を識別、計数して１００枚毎に集積する集積装置と、専用の施封装置とを別に設置すると、集積装置と施封装置との間を人手により運搬することが必要になり、大量の紙幣を施封する場合に施封処理に時間を要し、処理効率が低下する他、途中に人手が介在するので、不正が生じやすくなるという問題が生ずる。
本発明は、上記の問題点を解決するためになされたもので、紙帯の結束位置を金種別に容易に変更することが可能な紙幣整理装置を提供することを目的とする。
【課題を解決するための手段】
【０００５】
本発明は、上記課題を解決するために、紙幣を投入する投入部と、該投入部から１枚毎に繰出された紙幣の種別を認識する識別部と、ステージ上に前記識別部で識別された種別に応じて紙幣を種別毎に集積する複数の一時集積部と、所定の結束枚数の紙幣を移送されたままの状態で結束して排出する施封部と、前記一時集積部に集積された所定の結束枚数の紙幣を把持して、前記それぞれの一時集積部から前記施封部へ紙幣を束のまま移送する移送部とを備えた紙幣整理装置において、前記一時集積部および前記移送部のいずれか一方を用いて、前記施封部へ移送する所定の結束枚数の紙幣の長手方向の位置を、紙幣の結束位置に応じて予め移動させておくことを特徴とする。
【発明の効果】
【０００６】
これにより、本発明は、紙幣の金種別の結束位置に応じて、一時集積部または移送部を用いて、紙幣の長手方向の位置を容易に変更することが可能になり、通常の施封部を用いた紙幣整理処理においても紙幣の金種別の結束位置を容易に変更することができ、仕向地からの要求に応じて結束位置を設定した紙幣整理装置を即座に提供することができるという効果が得られる。
【発明を実施するための最良の形態】
【０００７】
以下に、図面を参照して本発明による紙幣整理装置の実施例について説明する。
【実施例１】
【０００８】
図１は実施例１の紙幣整理装置の内部構成を示す概略側面図、図２は実施例１の紙幣整理装置を示すブロック図、図３は実施例１の一時集積部を示す斜視図である。
図１、図２において、１は紙幣整理装置であり、銀行等の金融機関および大型ディスカウント店等の流通業等に設置され、紙幣Ｐを計数、整理して所定の結束枚数の紙幣Ｐを紙帯等の結束帯で結束して紙幣束として排出する機能を有している。
【０００９】
本実施例の紙幣束を形成するための所定の結束枚数は、１００枚に設定されている。
２は紙幣整理装置１の制御部であり、紙幣整理装置１内の各部を制御して紙幣整理結束処理等を実行する機能を有している。
３は記憶部であり、制御部２が実行するプログラムやそれに用いる各種のデータおよび制御部２による処理結果等が格納される。
【００１０】
５は投入部であり、金種等を整理する紙幣Ｐをセットする投入口５ａと、投入口５ａにセットされた紙幣Ｐを下側から１枚毎に分離して繰出す機能を有する分離繰出機構５ｂ等を備えている。
７は識別部であり、投入部５から繰出され、搬送路８ａにより搬送された紙幣Ｐの真偽や正損、表裏、金種等を識別して、これらを２以上組合せた種別（例えば、裏向きの正券の１０元紙幣、損券の１００元紙幣等）を識別する機能、および連鎖、重送、斜行等の搬送異常を識別する機能等を有している。
【００１１】
９は表裏反転部であり、識別部７から搬送路８ｂにより搬送された紙幣Ｐを識別部７からの表裏情報を基に、切替ブレード１０ａにより反転ルート９ａまたは無反転ルート９ｂに振分けることにより紙幣Ｐの表裏を揃えて搬送路８ｃへ搬出する機能を有している。
１１は操作表示部であり、紙幣整理装置１の正面に設けられ、ＬＣＤ等の表示画面とタッチパネル等の入力手段との組合せで構成されており、表示画面に係員が行う各種の業務の指示ボタン等を表示した業務画面や、紙幣Ｐの識別部７における金種別の識別枚数等を表示する他、入力手段により紙幣整理装置１を操作する係員からの入力を受付ける。
【００１２】
１２はリジェクトポケットであり、搬送路８ｂから切替ブレード１０ｂにより搬送方向を切替えて搬送路８ｄにより搬送されたリジェクト紙幣（識別部７で他国紙幣等のために認識できなかった紙幣Ｐや、搬送異常と判定された紙幣Ｐ等）が集積される。
１３はオープンポケットであり、投入部５に投入された紙幣Ｐの種別毎の枚数を計数して操作表示部１１に表示する計数モードにおける計数後の紙幣Ｐや、結束対象外の紙幣Ｐが、搬送路８ｃから切替ブレード１０ｃにより搬送方向を切替えられて搬送路８ｅにより搬送されて集積される。
【００１３】
１５は一時集積部であり、搬送路８ｃに接続する振分搬送路１６に設けられた切替ブレード１０ｄ〜１０ｆにより搬送方向を切替えて金種や正損レベルに応じて振分けられた紙幣Ｐを集積するステージ３１（後述）上に放出する集積機構１７が設けられており、紙幣Ｐを種別毎に１００枚集積する大きさを有している。
本実施例では、一時集積部１５ａ〜１５ｄの４つの一時集積部１５が設けられている。
【００１４】
上記の搬送路８ａ〜８ｅおよび振分搬送路１６は、ベルト対またはローラ対で紙幣Ｐを挟持して搬送する搬送路として形成され、それぞれの搬送路の各分岐部に設けられた切替ブレード１０ａ〜１０ｆ等および図示しないこれらの駆動機構により搬送部１８が構成されている。
また、本実施例の搬送部１８における紙幣Ｐの搬送は、紙幣Ｐの短手方向を搬送方向として行われる。
【００１５】
２０は移送部であり、一対の把持爪により一時集積部１５に集積された１００枚の紙幣を束のまま把持する把持部２１と、この把持部２１を昇降させる図示しない昇降機構と、把持部２１の把持爪を一時集積部１５の方向へ挿入し、引抜く機能を有する図示しない挿抜機構等により構成される。
２３は施封部であり、移送部２０により束のまま移送された紙幣Ｐを受取口２４に設けられた搬送ベルトで受取り、これを移送された状態のままで結束して排出口２５から排出する通常の構成を有しており、受取口２４で受取った束のままの紙幣Ｐをクランプするためのオープン搬送路、束のままの紙幣Ｐを結束するための結束帯を収容する結束帯リール、結束帯に通番や日付等を印字するドットインパクトプリンタ等の印字部、結束帯を搬送するための結束帯フィード部、結束帯を切断するカッタ、束のままの紙幣Ｐに巻きつけた結束帯の裏面の接着剤を溶かして接合するためのヒータヘッド、束のままの紙幣ＰをクランプしてＺ字型に湾曲させて結束帯を巻きつけることで施封力を与える押圧部、銀行スタンプや損券スタンプ等を捺印するスタンプ部、束のままの紙幣Ｐに巻きつけた結束帯の張りが戻らないように結束帯を押える結束帯押え等を備えている。
【００１６】
図３において、３１は一時集積部１５のステージであり、振分搬送路１６により振分けられて、図３に矢印Ａで示す放出方向に放出された紙幣Ｐを集積する板状部材であって、フレーム３２等に設けられた図示しない昇降機構により紙幣Ｐの集積枚数に応じて昇降可能に支持されている。
３３は基準板であり、そのステージ３１側に、ステージ３１上に集積された紙幣Ｐの長手方向を整位するときの基準面３３ａが設けられており、図示しないステッピングモータ等の駆動機構によって矢印Ｂで示す紙幣Ｐの長手方向に往復移動可能に構成され、ステージ３１に集積した紙幣Ｐの長手方向の集積位置を決定する機能を有している。
【００１７】
３４は整位アームであり、図示しないステッピングモータ等の駆動機構によって矢印Ｃで示す方向に回動し、ステージ３１上に集積された紙幣Ｐの長手方向の基準面３３ａと反対側の端部を叩いて、紙幣Ｐの基準面３３ａ側の端部を基準面３３ａに突き当てて整位させる機能を有している。
３５はシャッタであり、ステージ３１上に集積される紙幣Ｐの放出方向Ａの先端を整位して短手方向の集積位置を決定する短手整位板として機能すると共に、図示しないステッピングモータ等の駆動機構によって矢印Ｄで示す紙幣Ｐの短手方向に往復移動可能に構成されている。
【００１８】
また、シャッタ３５は、ステージ３１上に１００枚の紙幣Ｐが集積されたときに、開作動して把持部２１の挿入を受入れ、紙幣Ｐが束のまま引抜かれたときに、閉作動して前記の短手整位板として機能するよう開閉可能に構成されている。
上記の紙幣整理装置１の記憶部３には、投入部５に投入された紙幣Ｐを、その種別毎に複数の一時集積部１５にそれぞれ集積し、一時集積部１５に集積された紙幣Ｐが１００枚になったときに、その束のままの紙幣Ｐを把持部２１で把持して抜取り、これを移送部２０により一時集積部１５から施封部２３へ移送し、束のまま移送された紙幣Ｐをその状態で結束して排出する機能を有する通常の紙幣整理処理プログラムに、金種別に結束位置を設定する結束位置設定処理を行う機能や、各一時集積部１５に集積される紙幣Ｐの金種に設定された結束位置に応じて基準板３３を長手方向に移動させ、紙幣Ｐの金種に応じてシャッタ３５を短手方向に移動させ、紙幣Ｐの長手方向および短手方向の集積位置を変更して金種別に結束位置を変更する本実施例の結束位置変更処理を行う機能を有するアプリケーションプログラム等が追加された業務処理実行プログラムが予め格納されており、制御部２が実行する業務処理実行プログラムのステップにより本実施例の紙幣整理装置１のハードウェアとしての各機能手段が形成される。
【００１９】
記憶部３には、前記の他、施封部２３で紙幣束を作成するときの所定の結束枚数（本実施例では、１００枚）が格納されると共に、各一時集積部１５に集積された紙幣Ｐの枚数を一時集積部１５別にカウントする一時集積部１５別の集積枚数記憶エリア、識別部７で識別された紙幣の金種別の枚数を金種別にカウントする金種別の識別枚数計数エリア、およびそれぞれの一時集積部１５に集積する紙幣Ｐの種別、結束位置等の集積紙幣設定情報を一時集積部１５別に記憶する集積紙幣設定情報記憶エリアが確保されている。
【００２０】
また、記憶部３には、紙幣Ｐの長手方向長さ、短手方向長さ、結束位置からなる紙幣整理情報を金種別に記した図４に示す整理情報テーブルが予め格納されている。
本実施例の紙幣整理装置１は中国向けであるので、金種１として１０元紙幣、金種２として２０元紙幣、金種３として５０元紙幣、金種４として１００元紙幣の長手寸法および短手寸法が書込まれ、それぞれの金種別の結束位置には、結束位置の初期値（本実施例では、３０ｍｍ）が書込まれている。
【００２１】
以下に、図５に示すフローチャートを用い、Ｓで示すステップに従って、本実施例の結束位置設定処理について説明する。
Ｓ１、紙幣整理装置１に電源が投入されると、制御部２は、業務処理実行プログラムにより、操作表示部１１の画面に図６に示す業務画面を表示する。
業務画面には、紙幣Ｐの整理モードの選択を指示するためのモード選択ボタンや、処理の開始を指示するための準備完了ボタン、結束位置の設定変更を指示するための結束位置ボタン等の各種の指示ボタン、および紙幣整理時に認識された金種別の識別枚数表示欄、施封部２３により結束した結束数等の金種別の結束数表示欄等が表示される。
【００２２】
係員は、表示された業務画面から結束位置の設定変更を行うために結束位置ボタンを押下する。
Ｓ２、制御部２は、操作表示部１１の入力手段により指示ボタンの押下を待って待機しており、結束位置ボタンが押下されたときにステップＳ３へ移行する。結束位置ボタンが押下されない場合は、業務画面を表示しながら、係員の指示入力の受付を継続する。
【００２３】
Ｓ３、操作表示部１１の入力手段により結束位置ボタンの押下の入力を受付けた制御部２は、結束位置設定処理プログラムにより、記憶部３に格納されている整理情報テーブルから金種別の結束位置を読出し、これを表示した図７に示す結束位置設定画面を操作表示部１１の画面に表示する。
結束位置設定画面には、結束位置として定義されている長さを示す説明図、および金種別の結束位置の表示欄、結束位置の長さを長くするときに押下する正ボタン、短くするときに押下する負ボタン、設定の終了を指示するための確認ボタン等が表示される。
【００２４】
係員は、表示された金種別の結束位置を確認し、結束位置を変更するときは、当該金種の正ボタンまたは負ボタンを押下する。
正ボタンまたは負ボタンの押下の入力を受付けた制御部２は、そのボタンが正ボタンのときは、表示した結束位置に１ｍｍを加え、負ボタンのときは結束位置から１ｍｍを減じて当該金種の結束位置の表示を変更する。
【００２５】
係員は、結束位置の設定変更を終えると、確認ボタンを押下する。
Ｓ４、制御部２は、確認ボタンの押下を待って待機しており、確認ボタンが押下されたときにステップＳ５へ移行する。確認ボタンが押下されない場合は、結束位置設定画面を表示しながら、係員の設定変更入力の受付を継続する。
Ｓ５、確認ボタンの押下の入力を受付けた制御部２は、入力された金種別の結束位置を認識し、記憶部３の整理情報テーブルの金種別の結束位置を、入力された金種別の結束位置に書替えて整理情報テーブルを更新し、結束位置設定処理を終了させてステップＳ１へ戻り、業務画面を表示して待機する。
【００２６】
このようにして、紙幣Ｐの結束位置が設定された紙幣整理装置１による紙幣整理処理について、図８に示すフローチャートを用い、ＳＡで示すステップに従って説明する。
本実施例では、係員が業務画面からモード選択ボタンを押下し、整理モードとして、３つの金種（１０元、２０元、５０元）を正損の別に関わらず金種別に結束する３金種結束モードが選択されたものとして説明する。
【００２７】
ＳＡ１、紙幣整理装置１に電源が投入されると、制御部２は、上記ステップＳ１と同様に、業務処理実行プログラムにより、操作表示部１１の画面に図６に示す業務画面を表示する。
このとき、各一時集積部１５の基準板３３およびシャッタ３５は原位置（基準板３３は結束位置０ｍｍの位置、シャッタ３５は紙幣整理装置１が取扱う紙幣（日本国紙幣、外国紙幣を含む。）の中の短手方向長さの最大寸法に、所定の余裕代を加えた位置）に位置している。
【００２８】
係員は、金種および正損の混在した複数の紙幣を一度に投入部５の投入口５ａへセットし、業務画面から準備完了ボタンを押下する。
ＳＡ２、制御部２は、業務画面の指示ボタンの押下を待って待機しており、準備完了ボタンが押下されたときにステップＳＡ３へ移行する。準備完了ボタンが押下されない場合は、業務画面を表示しながら、係員の指示入力の受付を継続する。
【００２９】
ＳＡ３、準備完了ボタンの押下の入力を受付けた制御部２は、紙幣整理処理プログラムにより、各一時集積部１５の集積紙幣設定情報を実行する。
すなわち、制御部２は、記憶部３の全ての識別枚数計数エリアの金種別のカウント数、および集積枚数カウントエリアの各一時集積部１５のカウント数を「０」に設定すると共に、一時集積部１５ｂへ集積する紙幣の種別を１０元紙幣の正損券とし、一時集積部１５ｃへ集積する紙幣の種別を５０元紙幣の正損券とし、一時集積部１５ｄへ集積する紙幣の種別を１００元紙幣の正損券とし、一時集積部１５ａを一時集積部１５ｂないし１５ｄのいずれか一つに結束枚数の紙幣が集積されたときに、それ以降の紙幣を集積する種別指定のない補助集積部として設定する。
【００３０】
そして、制御部２は、結束位置変更処理プログラムにより、記憶部３に格納されている整理情報テーブルの金種別の紙幣整理情報を読出し、各一時集積部１５に設定された種別の金種を基に、読出した紙幣整理情報の長手方向長さと結束位置を認識し、その長手方向長さと結束位置から整位アーム３４の回動範囲（本実施例では、ステッピングモータへ供給するパルス数）を算出すると共に、読出した紙幣整理情報の集積する紙幣Ｐの短手方向の長さを基に、その紙幣Ｐの短手方向を整位するのに適切な位置の原位置からの長さであるシャッタ３５の短手整位位置を算出する。
【００３１】
次いで、制御部２は、記憶部３の各一時集積部１５の集積紙幣設定情報記憶エリアに、それぞれ設定した紙幣の種別、紙幣整理情報、算出した回動範囲、短手整位位置等を書込んで記憶すると共に、一時集積部１５ｂ〜１５ｄの基準板３３を原位置から結束位置へＢ方向に、シャッタ３５を原位置から短手整位位置へＣ方向に図示しないそれぞれの駆動機構を用いて移動させて、各一時集積部１５の紙幣Ｐの集積位置を設定する。
【００３２】
このようにして、本実施例の紙幣整理処理における準備動作が行われる。
ＳＡ４、準備動作を終えた制御部２は、投入部５の分離繰出機構５ｂにより、投入部５の最下位の紙幣Ｐから順に１枚毎に分離して搬送部１８の搬送路８ａへ繰出し、これを搬送路８ａにより識別部７へ搬送して、識別部７により搬送した紙幣Ｐの重送等の搬送異常等の識別を行うと共に、正常搬送と識別された紙幣Ｐの真偽、正損、金種等の識別を行い、これらの識別結果を認識する。
【００３３】
ＳＡ５、識別結果を認識した制御部２は、その紙幣Ｐが、２０元紙幣等の結束対象外の紙幣Ｐである場合は、結束対象外の紙幣Ｐが識別されたことを認識してステップＳＡ６へ移行し、他の識別結果の場合はステップＳＡ７へ移行する。
ＳＡ６、結束対象外の紙幣Ｐが識別されたことを認識した制御部２は、その紙幣Ｐを搬送路８ｂ、表裏反転部９の無反転ルート９ｂ、搬送路８ｃ、搬送路８ｅによりオープンポケット１３へ搬送して集積し、ステップＳＡ１５へ移行する。
【００３４】
ＳＡ７、識別結果を認識した制御部２は、その紙幣Ｐが、リジェクト紙幣である場合は、リジェクト紙幣が識別されたことを認識してステップＳＡ８へ移行し、他の識別結果の場合はステップＳＡ９へ移行する。
ＳＡ８、リジェクト紙幣が識別されたことを認識した制御部２は、その紙幣を搬送路８ｂ、搬送路８ｄによりリジェクトポケット１２へ搬送して集積し、ステップＳＡ１５へ移行する。
【００３５】
ＳＡ９、識別結果を認識した制御部２は、その紙幣Ｐが、真券の紙幣Ｐである場合は、その種別（本実施例では金種と同義）を認識し、記憶部３の現在の識別枚数計数エリアの当該種別のカウント数に「１」を加えてその識別枚数を計数すると共に、その種別を基に、記憶部３の集積紙幣設定情報記憶エリアを参照して、その紙幣Ｐを集積する集積先の一時集積部１５を認識する。
【００３６】
ＳＡ１０、紙幣Ｐの集積先を認識した制御部２は、その紙幣を搬送路８ｂにより表裏反転部９に搬送して表裏反転部９で表裏を揃えた後に、搬送路８ｃにより振分搬送路１６へ搬送し、振分搬送路１６により振分けて集積先の一時集積部１５に集積する。
このとき、一時集積部１５は、上記ステップＳＡ３における準備動作によって、その基準板３３やシャッタ３５が所定の集積位置に移動しているので、集積機構１７により放出方向Ａに放出された紙幣Ｐは、その先端をシャッタ３５に当接させて短手方向が整位されてステージ３１上に集積される。
【００３７】
また、制御部２は、記憶部３の集積紙幣設定情報記憶エリアから読出した当該一時集積部１５の整位アーム３４の回動範囲を基に、整位アーム３４を回動させて紙幣Ｐの基準面３３ａと反対側の端部を叩いて、結束位置が設定値となるように移動している基準面３３ａにより紙幣Ｐの長手方向を整位する。
ＳＡ１１、集積先の一時集積部１５に紙幣を集積した制御部２は、記憶部３の集積枚数カウントエリアの当該一時集積部１５のカウント数に「１」を加えて当該一時集積部１５に集積された紙幣の集積枚数を計数する。
【００３８】
ＳＡ１２、そして、制御部２は、記憶部３から読出した結束枚数と、更新された集積枚数とを比較し、集積枚数が結束枚数より少ない場合はステップＳＡ１５へ移行する。
集積枚数と結束枚数が等しい場合、つまり結束枚数（本実施例では、１００枚）の紙幣がいずれか一つの一時集積部１５に集積された場合は、ステップＳＡ１３へ移行する。
ＳＡ１３、いずれか一つの一時集積部１５、例えば一時集積部１５ｂに結束枚数の紙幣が集積されたことを判定した制御部２は、記憶部３の集積紙幣設定情報記憶エリアの集積紙幣設定情報に補助集積部が設定されているか否かを確認し、補助集積部が設定されているときは、集積紙幣設定情報の変更が必要と判定してステップＳＡ１４へ移行する。
【００３９】
補助集積部が設定されていない場合は、制御部２は、集積紙幣設定情報の変更を不要と判定し、一時集積部１５ｂのシャッタ３５を開作動させ、移送部２０によりその結束枚数の紙幣Ｐを束のまま把持部２１により引抜いて施封部２３へ移送し、シャッタ３５を閉作動させると共に、記憶部３の集積枚数カウントエリアの一時集積部１５ｂの集積枚数を「０」にリセットしてステップＳＡ１５へ移行する。
【００４０】
ＳＡ１４、集積紙幣設定情報の変更が必要と判定した制御部２は、記憶部３の集積紙幣設定情報記憶エリアの集積紙幣設定情報を読出すと共に、補助集積部として設定されている一時集積部１５、本実施例では一時集積部１５ａへ集積する紙幣の種別を一時集積部１５ｂと同じ種別（本実施例では、１０元紙幣の正損券）に設定し、一時集積部１５ｂを補助集積部として設定し、上記ステップＳＡ３と同様にして、結束位置変更処理プログラムにより、記憶部３に格納されている整理情報テーブルの金種別の紙幣整理情報を読出し、一時集積部１５ａに設定された種別の金種を基に、その整位アーム３４の回動範囲およびシャッタ３５の短手整位位置を算出し、記憶部３の一時集積部１５ａの集積紙幣設定情報を、設定した紙幣の種別、紙幣整理情報、算出した回動範囲、短手整位位置等に書替えて変更すると共に、一時集積部１５ａの基準板３３を原位置から結束位置へＢ方向に、シャッタ３５を原位置から短手整位位置へＣ方向に図示しないそれぞれの駆動機構を用いて移動させて、一時集積部１５ａの紙幣Ｐの集積位置を変更する。
【００４１】
また、制御部２は、上記ステップＳＡ１３と同様にして、移送部２０により一時集積部１５ｂの紙幣Ｐを束のまま施封部２３へ移送し、記憶部３の集積枚数カウントエリアの一時集積部１５ｂの集積枚数を「０」にリセットすると共に、一時集積部１５ｂのシャッタ３５を閉作動させた後に、その基準板３３およびシャッタ３５を原位置に戻してステップＳＡ１５へ移行する。
【００４２】
一方、移送部２０により紙幣Ｐを束のまま施封部２３へ移送した制御部２は、ステップＳＡ１３またはＳＡ１４と並行して、施封部２３の受取口２４により移送部２０から束のまま受取った紙幣に、移送された状態のままで結束帯を巻き掛けて紙幣束を作成し、これを排出口２５に送って装置の外部へ排出する。
ＳＡ１５、一時集積部１５の集積枚数の更新、または結束枚数の紙幣が集積されたことによる記憶部３の集積紙幣設定情報の変更等を行った制御部２は、上記ステップＳＡ４で識別した紙幣Ｐが、投入部５にセットされた紙幣Ｐの最後の紙幣Ｐであるか否かを判定し、識別した紙幣Ｐが最後の紙幣Ｐではない場合は、ステップＳＡ４へ戻って上記の紙幣Ｐの繰出し、識別、集積を継続する。
【００４３】
識別した紙幣Ｐが最後の紙幣Ｐである場合は、制御部２は、最後の紙幣Ｐが集積されたことを認識し、操作表示部１１の業務画面に、識別部７による識別枚数や施封部２３による結束数等を表示すると共に、各一時集積部１５の基準板３３およびシャッタ３５を原位置へ戻し、選択された３金種結束モードの紙幣整理処理を終了させ、ステップＳＡ１へ戻って業務画面を表示しながら指示ボタンの押下を待って待機する。
【００４４】
このように、本実施例においては、通常の施封部２３を有する紙幣整理装置１の各一時集積部１５の基準板３３を往復移動させる駆動機構を設け、結束位置設定処理において設定した金種別の結束位置に応じて、各一時集積部１５の紙幣Ｐの長手方向の集積位置を、基準板３３を長手方向に移動させて変更するので、通常の施封部２３を用いた紙幣整理処理においても紙幣Ｐの金種別の結束位置を変更することができ、認識部７の紙幣Ｐの識別データを仕向地の紙幣Ｐの識別データに書替え、各画面の表示を仕向地の言語に書替えて結束位置設定処理により紙幣Ｐの結束位置を種別毎に変更すれば、仕向地からの要求に応じて金種別に結束位置を設定した紙幣整理装置１を即座に出荷することができ、開発コストを低減して安価な紙幣整理装置１を提供できる他、仕向地における大量の紙幣Ｐの施封処理の時間を短縮して紙幣整理処理の効率を向上させることができると共に、仕向地においても結束位置の変更を必要に応じて容易に行うことができる。
【００４５】
また、紙幣整理処理に人手が介在することがないので、不正の発生を未然に防止することができる。
更に、各一時集積部に、ステージ３１上に集積される紙幣Ｐの先端を整位する機能を兼ねる開閉可能なシャッタ３５を往復移動させる駆動機構を設け、予め設定された金種別の短手方向の長さに応じて、各一時集積部１５の紙幣Ｐの短手方向の集積位置を、シャッタ３５を短手方向に移動させて変更するので、大きさの異なる外国紙幣に容易に対応することが可能になり、仕向地の異なる紙幣整理装置１を容易に製作することができると共に、開発コストを低減して安価な紙幣整理装置１を提供することができる。
【００４６】
以上説明したように、本実施例では、紙幣整理装置の一時集積部に、紙幣Ｐを集積するステージと、ステージ上に集積された紙幣Ｐの長手方向を整位するときの基準面を有すると共に、紙幣Ｐの長手方向に往復移動可能に構成された基準板と、ステージ上に集積された紙幣Ｐの長手方向を基準面に整位させる整位アームとを設け、一時集積部に集積する紙幣Ｐの金種別の結束位置に応じて基準板の長手方向の位置を移動させるようにしたことによって、紙幣Ｐの金種別の結束位置に応じて、一時集積部における紙幣Ｐの長手方向の集積位置を容易に変更することが可能になり、通常の施封部を用いた紙幣整理処理においても紙幣Ｐの金種別の結束位置を容易に変更することができ、仕向地からの要求に応じて結束位置を設定した紙幣整理装置を即座に提供することができると共に、仕向地においても結束位置の変更を容易に行うことができる。
【００４７】
また、一時集積部に、ステージ上に集積される紙幣Ｐの先端を整位すると共に、紙幣Ｐの短手方向に往復移動可能に構成された開閉可能なシャッタを設け、シャッタの短手方向の位置を移動させるようにしたことによって、一時集積部に集積する紙幣Ｐの短手方向の長さに応じて、一時集積部の紙幣の短手方向の集積位置を、シャッタを短手方向に移動させて変更することが可能になり、大きさの異なる外国紙幣に容易に対応することができ、仕向地の異なる紙幣整理装置を容易に製作することができる。
【００４８】
なお、本実施例においては、集積ステージにおける紙幣Ｐの長手方向の整位は、回動する整位アームにより行うとして説明したが、往復移動する整位板等であってもよい。
【実施例２】
【００４９】
図９は実施例２の把持部の側面を示す説明図、図１０は実施例２の把持部の上面を示す説明図である。
なお、上記実施例１と同様の部分は、同一の符号を付してその説明を省略する。
図９、図１０において、４１は移送部２０の把持部２１の基台であり、底板とこれに立設された側板とでＬ字状に形成された板状部材であって、把持部２１を昇降させる無端の歯付ベルトである昇降ベルト４２に、側板に設けられたクランプ部４３により取付けられている。
【００５０】
４４は挿抜機構であり、基台４１の側板に取付けられたモータ４５と、これにより回転駆動される小径のギアであるモータギア４６ａと、このモータギア４６ａに噛合い、基台４１の底板に回転自在に設けられた回転軸４６ｂを中心に回動するリングギア４６ｃと、一端を回転軸４６ｂに固定されたリンク棒４７ａと、リンク棒４７ａの他端に設けられた連結ピン４７ｂを介して回動自在に連結されたリンク棒４７ｃ等を備えており、底板と側板からなるＬ字状の支持台４９の底板の下面に設けられた連結ピン４７ｄに、リンク棒４７ｃの連結ピン４７ｂの反対側の端部で連結して、図示しない案内レールに移動可能に支持された支持台４９を一時集積部１５の方向へ往復移動させる。
【００５１】
５１は移動台であり、底板と側板からなるＬ字状に形成された板状部材であって、支持台４９の底板上に固定されたスライドレール５２により、紙幣Ｐの長手方向に沿って往復移動可能に支持されている。
５３は一対の把持爪であり、天板と側板とからなるＬ字状のブラケット５４の側板の端部に固定されて昇降可能に構成された把持爪５３ａと、移動台５１の底板に一体に形成された把持爪５３ｂとで構成されており、一時集積部１５のステージ３１上に集積された所定の結束枚数（１００枚）の紙幣Ｐを、短手方向に沿って束のまま把持する。
【００５２】
５５は円リンクであり、周縁の一箇所に押上ピン５５ａが固定された円盤状部材であって、移動台５１の側板に取付けられたモータ５６により回転駆動され、紙幣Ｐの把持力を発生させる引張スプリング５７により移動台５１の底板の方向に付勢されたブラケット５４の天板の下面を、押上ピン５５ａで押上げて把持爪５３ａを昇降させる機能を有している。
【００５３】
５８はセンサレバーであり、円リンク５５の押上ピン５５ａの反対側の面に、押上ピン５５ａと同位相で取付けられている。
５９ａは上死点センサ、５９ｂは下死点センサであり、発光部と受光部とを所定の隙間を介して対向させた光学式のセンサであって、センサレバー５８が発光部から光を遮断したことを受光部が検出して、受光部が出力する光の明、暗により円リンク５５の押上ピン５５ａの位置を検出する。
【００５４】
６１は位置決め機構であり、支持台４９の側板に取付けられたステッピングモータ等の位置決めモータ６２と、これにより回転駆動されるピニオンギア６３と、このピニオンギア６３に噛合い、移動台５１の側板側に固定されたラック６４と、移動台５１の側板に固定されたセンサレバー６５と、支持台４９の側板に固定された上死点センサ５９ａと同様の構成の位置センサ６６等を備えており、位置決めモータ６２により回転駆動されるピニオンギア６３がラック６４を直線的に移動させ、スライドレール５２により移動可能に支持された移動台５１を、位置センサ６６がセンサレバー６５を検出している原位置（図１０に示す位置）から紙幣Ｐの長手方向に沿って往復移動させる。
【００５５】
上記の構成により、本実施例の移送部２０の把持部２１が形成される。
なお、本実施例の一時集積部１５の基準板３３は、上記実施例１で説明した原位置に固定されている。
本実施例の紙幣整理装置１の記憶部３には、上記実施例１と同様の通常の紙幣整理処理プログラムに、実施例１と同様の結束位置設定処理を行う機能や、各一時集積部１５に集積される紙幣の金種に応じてシャッタ３５を短手方向に移動させ、固定された基準板３３および移動させたシャッタ３５により長手方向および短手方向を整位された紙幣Ｐが、所定の結束枚数になったときに、紙幣Ｐを束のまま把持部２１の把持爪５３で把持して施封部２３へ移送するときに、紙幣の金種に設定された結束位置に応じて、把持爪５３を長手方向に移動させ、金種別に結束位置を変更する本実施例の結束位置変更処理を行う機能を有するアプリケーションプログラム等が追加された業務処理実行プログラムが予め格納されており、制御部２が実行する業務処理実行プログラムのステップにより本実施例の紙幣整理装置１のハードウェアとしての各機能手段が形成される。
【００５６】
また、記憶部３には、上記実施例１と同様に、紙幣束を作成するときの所定の結束枚数（本実施例では、１００枚）が格納されると共に、一時集積部１５別の集積枚数記憶エリア、金種別の識別枚数計数エリア、および集積紙幣設定情報記憶エリアが確保されている。
更に、記憶部３には、上記実施例１と同様に、中国紙幣の紙幣整理情報を金種別に記した図４に示す整理情報テーブルが予め格納されている。
【００５７】
本実施例の結束位置設定処理の作動は、上記実施例１で図５を用いて説明した作動と同様であるので、その説明を省略する。
結束位置設定処理によって、紙幣Ｐの結束位置が設定された紙幣整理装置１による紙幣整理処理について、図１１に示すフローチャートを用い、ＳＢで示すステップに従って説明する。
【００５８】
本実施例では、上記実施例１と同様に、係員が業務画面からモード選択ボタンを押下し、整理モードとして、３つの金種（１０元、２０元、５０元）を正損の別に関わらず金種別に結束する３金種結束モードが選択されたものとして説明する。
ＳＢ１、紙幣整理装置１に電源が投入されると、制御部２は、上記実施例１のステップＳ１と同様に、業務処理実行プログラムにより、操作表示部１１の画面に図６に示す業務画面を表示する。
【００５９】
このとき、各一時集積部１５のシャッタ３５は、実施例１と同様の原位置に位置している。
また、把持部２１の移動台５１は、位置センサ６６がセンサレバー６５を検出している原位置に位置し、その把持爪５３ａは、上死点センサ５９ａがセンサレバー５８を検出した位置、つまり上死点位置に位置する円リンク５５の押上ピン５５ａにより押上げられた開状態になっている。
【００６０】
係員は、金種および正損の混在した複数の紙幣を一度に投入部５の投入口５ａへセットし、業務画面から準備完了ボタンを押下する。
ＳＢ２、制御部２は、業務画面の指示ボタンの押下を待って待機しており、準備完了ボタンが押下されたときにステップＳＢ３へ移行する。準備完了ボタンが押下されない場合は、業務画面を表示しながら、係員の指示入力の受付を継続する。
【００６１】
ＳＢ３、準備完了ボタンの押下の入力を受付けた制御部２は、紙幣整理処理プログラムにより、各一時集積部１５の集積紙幣設定情報を実行する。
すなわち、制御部２は、実施例１のステップＳＡ３と同様に、記憶部３の各識別枚数計数エリアおよび各集積枚数カウントエリアのカウント数を「０」に設定すると共に、一時集積部１５ｂへ集積する紙幣の種別を１０元紙幣の正損券とし、一時集積部１５ｃへ集積する紙幣の種別を５０元紙幣の正損券とし、一時集積部１５ｄへ集積する紙幣の種別を１００元紙幣の正損券とし、一時集積部１５ａを補助集積部として設定する。
【００６２】
そして、制御部２は、結束位置変更処理プログラムにより、記憶部３に格納されている整理情報テーブルの金種別の紙幣整理情報を読出し、各一時集積部１５に設定された種別の金種を基に、読出した紙幣整理情報の長手方向長さを認識し、その長手方向長さから整位アーム３４の回動範囲（本実施例では、ステッピングモータへ供給するパルス数）を算出すると共に、読出した紙幣整理情報の集積する紙幣Ｐの短手方向の長さを基に、その紙幣Ｐの短手方向を整位するのに適切な位置の原位置からの長さであるシャッタ３５の短手整位位置を算出する。
【００６３】
次いで、制御部２は、記憶部３の各一時集積部１５の集積紙幣設定情報記憶エリアに、それぞれ設定した紙幣の種別、紙幣整理情報、算出した回動範囲、短手整位位置等を書込んで記憶すると共に、一時集積部１５ｂ〜１５ｄのシャッタ３５を原位置から短手整位位置へＣ方向に図示しない駆動機構を用いて移動させて、各一時集積部１５の紙幣Ｐの集積位置を設定する。
【００６４】
このようにして、本実施例の紙幣整理処理における準備動作が行われる。
その後のステップＳＢ４〜ＳＢ９の作動は、上記実施例１のステップＳＡ４〜ＳＡ９の作動と同様であるので、その説明を省略する。
ＳＢ１０、紙幣Ｐの集積先を認識した制御部２は、実施例１のステップＳＡ１０と同様にして、その紙幣の表裏を揃えた後に、集積先の一時集積部１５に集積する。
【００６５】
このとき、一時集積部１５は、上記ステップＳＢ３における準備動作によって、そのシャッタ３５が所定の集積位置に移動しているので、集積機構１７により放出方向Ａに放出された紙幣Ｐは、その先端をシャッタ３５に当接させて短手方向が整位された状態でステージ３１上に集積される。
また、制御部２は、記憶部３の集積紙幣設定情報記憶エリアから読出した当該一時集積部１５の整位アーム３４の回動範囲を基に、整位アーム３４を回動させて紙幣Ｐの基準面３３ａと反対側の端部を叩いて、固定された基準面３３ａにより紙幣Ｐの長手方向を整位する。
【００６６】
ＳＢ１１、集積先の一時集積部１５に紙幣を集積した制御部２は、実施例１のステップＳＡ１１と同様にして、当該一時集積部１５に集積された紙幣の集積枚数を計数する。
ＳＢ１２、そして、制御部２は、記憶部３から読出した結束枚数と、更新された集積枚数とを比較し、集積枚数が結束枚数より少ない場合はステップＳＢ１６へ移行する。
集積枚数と結束枚数が等しい場合、つまり結束枚数（本実施例では、１００枚）の紙幣がいずれか一つの一時集積部１５に集積された場合は、ステップＳＢ１３へ移行する。
【００６７】
ＳＢ１３、いずれか一つの一時集積部１５、例えば一時集積部１５ｂに結束枚数の紙幣が集積されたことを判定した制御部２は、記憶部３の集積紙幣設定情報記憶エリアの集積紙幣設定情報の一時集積部１５ｂの紙幣整理情報から、当該紙幣Ｐ（本実施例では、１０元紙幣の正損券）の結束位置を読出して記憶部３に保存すると共に、記憶部３の集積紙幣設定情報記憶エリアの集積紙幣設定情報に補助集積部が設定されているか否かを確認し、補助集積部が設定されているときは、集積紙幣設定情報の変更が必要と判定してステップＳＢ１４へ移行する。
【００６８】
補助集積部が設定されていない場合は、制御部２は、集積紙幣設定情報の変更を不要と判定して、ステップＳＢ１５へ移行する。
ＳＢ１４、集積紙幣設定情報の変更が必要と判定した制御部２は、実施例１のステップＳＡ１４と同様にして、補助集積部として設定されている一時集積部１５ａへ集積する紙幣の種別を一時集積部１５ｂと同じ種別に設定し、一時集積部１５ｂを補助集積部として設定し、上記ステップＳＢ３と同様にして、結束位置変更処理プログラムにより、記憶部３に格納されている整理情報テーブルの金種別の紙幣整理情報を読出し、一時集積部１５ａに設定された種別の金種を基に、その整位アーム３４の回動範囲およびシャッタ３５の短手整位位置を算出し、記憶部３の一時集積部１５ａの集積紙幣設定情報を、設定した紙幣の種別、紙幣整理情報、算出した回動範囲、短手整位位置等に書替えて変更すると共に、一時集積部１５ａのシャッタ３５を原位置から短手整位位置へＣ方向に図示しない駆動機構を用いて移動させて、一時集積部１５ａの紙幣Ｐの集積位置を変更する。
【００６９】
ＳＢ１５、集積紙幣設定情報の変更を不要と判定した、または集積紙幣設定情報の変更を終えた制御部２は、一時集積部１５ｂのシャッタ３５を開作動させ、移送部２０の昇降ベルト４２を起動して、把持部２１を一時集積部１５ｂの位置に停止させ、挿抜機構４４のモータ４５を回転させて、把持爪５３を、昇降ベルト４２に近接する初期位置（図９に示す位置）からリングギア４６ｃ、リンク棒４７ａ、４７ｃにより一時集積部１５ｂの受取位置に移動させ、モータ５６により円リンク５５を回転させて上死点位置に位置する押上ピン５５ａを下死点位置まで回転させ、押上ピン５５ａによる把持爪５３ａの押上を解除して引張スプリング５７による把持力により、紙幣Ｐを短手方向に沿って束のまま把持爪５３ａと５３ｂとの間に把持する。
【００７０】
次いで、制御部２は挿抜機構４４のモータ４５を逆転させ、把持爪５３に把持された所定の結束枚数の紙幣Ｐを束のまま紙幣Ｐの短手方向に引抜いて、紙幣Ｐを初期位置に移動させる。
このとき、制御部２は、記憶部３に保存された当該紙幣Ｐの結束位置を読出し、一時集積部１５に整位された状態で集積された紙幣Ｐを、移動台５１の原位置から施封部２３による結束位置が所定の結束位置となる位置へ移動させるための位置決めモータ６２の回転方向と回転量（本実施例では、ステッピングモータへ供給するパルス数）を算出し、位置決め機構６１の位置決めモータ６２を算出した回転量で回転させて、ピニオンギア６３、ラック６４、移動台５１を介して把持爪５３を紙幣Ｐの長手方向に移動させ、紙幣Ｐを所定の結束位置となる位置に停止させる。
【００７１】
そして、紙幣Ｐが初期位置に停止すると、制御部２は、所定の結束位置となる位置で把持爪５３に束のまま把持された紙幣Ｐを、昇降ベルト４２により施封部２３に移送し、記憶部３の集積枚数カウントエリアの一時集積部１５ｂの集積枚数を「０」にリセットすると共に、一時集積部１５ｂのシャッタ３５を閉作動させた後に、そのシャッタ３５を原位置に戻してステップＳＢ１６へ移行する。
【００７２】
この場合に、補助集積部が設定されていないときは、シャッタ３５の位置を移動させずに、そのままの位置としてステップＳＢ１６へ移行する。
一方、移送部２０により紙幣Ｐを束のまま施封部２３へ移送した制御部２は、ステップＳＢ１５と並行して、昇降ベルト４２により、把持部２１を施封部２３の受取口２４の位置に停止させ、円リンク５５を回転させて押上ピン５５ａを上死点位置まで回転させ、把持爪５３ａを開状態にして、紙幣Ｐを受取口２４から施封部２３へ引渡し、施封部２３で束のまま受取った紙幣に、移送された状態のままで結束帯を巻き掛けて紙幣束を作成し、これを排出口２５に送って装置の外部へ排出する。
【００７３】
この場合に、把持部２１の移動台５１は、紙幣Ｐを施封部２３へ引渡した後に、把持爪５３ａを開状態としたままで、その原位置に戻される。
ＳＢ１６、一時集積部１５の集積枚数の更新、または結束枚数の紙幣が集積されたことによる記憶部３の集積紙幣設定情報の変更等を行った制御部２は、上記ステップＳＢ４で識別した紙幣Ｐが、投入部５にセットされた紙幣Ｐの最後の紙幣Ｐであるか否かを判定し、識別した紙幣Ｐが最後の紙幣Ｐではない場合は、ステップＳＢ４へ戻って上記の紙幣Ｐの繰出し、識別、集積を継続する。
【００７４】
識別した紙幣Ｐが最後の紙幣Ｐである場合は、制御部２は、最後の紙幣Ｐが集積されたことを認識し、操作表示部１１の業務画面に、識別部７による識別枚数や施封部２３による結束数等を表示すると共に、各一時集積部１５のシャッタ３５を原位置へ戻し、把持部２１の把持爪５３ａを開状態としたまま移動台５１を原位置に戻し、選択された３金種結束モードの紙幣整理処理を終了させ、ステップＳＢ１へ戻って業務画面を表示しながら指示ボタンの押下を待って待機する。
【００７５】
このように、本実施例においては、通常の施封部２３を有する紙幣整理装置１の移送部２０の把持部２１に位置決め機構６１を設け、一時集積部１５に集積された所定の結束枚数の紙幣Ｐを把持部２１で引抜いた後に、結束位置設定処理において設定した金種別の結束位置に応じて、紙幣Ｐを束のまま把持した把持爪５３を位置決め機構６１により紙幣Ｐの長手方向に移動させて、紙幣Ｐの長手方向の位置を変更するので、通常の施封部２３を用いた紙幣整理処理においても紙幣Ｐの金種別の結束位置を変更することができ、認識部７の紙幣Ｐの識別データを仕向地の紙幣Ｐの識別データに書替え、各画面の表示を仕向地の言語に書替えて結束位置設定処理により紙幣Ｐの結束位置を種別毎に変更すれば、仕向地からの要求に応じて金種別に結束位置を設定した紙幣整理装置１を即座に出荷することができ、開発コストを低減して安価な紙幣整理装置１を提供できる他、仕向地における大量の紙幣Ｐの施封処理の時間を短縮して紙幣整理処理の効率を向上させることができると共に、仕向地においても結束位置の変更を必要に応じて容易に行うことができる。
【００７６】
また、紙幣整理処理に人手が介在することがないので、不正の発生を未然に防止することができる。
なお、本実施例では、一時集積部１５に集積された所定の結束枚数の紙幣Ｐを把持爪５３で把持して引抜き、把持部２１を初期位置に戻すまでの間に位置決め機構６１により、把持爪５３に把持された紙幣Ｐの長手方向の位置を移動させるとして説明したが、位置決め機構６１により紙幣Ｐの長手方向の位置を移動させるタイミングは前記に限らず、紙幣Ｐを把持爪５３で把持して引抜き、施封部２３の受取口２４に把持部２１を停止させるまでの間であれば、どのタイミングであってもよい。
【００７７】
以上説明したように、本実施例では、紙幣整理装置の移送部に、ステージ上に集積された紙幣を短手方向に沿って束のまま把持する一対の把持爪と、この把持爪を紙幣の長手方向に往復移動させる位置決め機構とを設け、一時集積部に集積された所定の結束枚数の紙幣を把持して施封部へ移送するときに、位置決め機構により、把持爪に把持された紙幣の長手方向の位置を移動させるようにしたことによって、紙幣Ｐの金種別の結束位置に応じて、移送部の把持部における紙幣Ｐの長手方向の位置を容易に変更することが可能になり、上記実施例１と同様に、通常の施封部を用いた紙幣整理処理においても紙幣Ｐの金種別の結束位置を容易に変更することができ、仕向地からの要求に応じて結束位置を設定した紙幣整理装置を即座に提供することができると共に、仕向地においても結束位置の変更を容易に行うことができる。
【００７８】
なお、上記各実施例においては、３金種結束モードの場合を例に説明したが、他の整理モードの場合も同様である。
また、上記各実施例においては、各画面は、日本語により図示したが、上記各実施例で説明した紙幣整理装置は中国向けであるので、実際の画面は中国語で表示される。
更に、上記各実施例においては、図４に示す整理情報テーブルを用いるとして説明したが、図１２に示す、金種別の結束位置に、仕向地において通常用いる結束位置を初期値として書込んだ整理情報テーブルを用いるようにしてもよい。このようにすれば、結束位置設定処理における結束位置の設定変更の入力を簡略化することができ、結束位置の設定を行う係員の負担を軽減することができる。
【図面の簡単な説明】
【００７９】
【図１】実施例１の紙幣整理装置１の内部構成を示す概略側面図
【図２】実施例１の紙幣整理装置１を示すブロック図
【図３】実施例１の一時集積部を示す斜視図
【図４】実施例１の整理情報テーブルを示す説明図
【図５】実施例１の結束位置設定処理を示すフローチャート
【図６】実施例１の業務画面の表示例を示す説明図
【図７】実施例１の結束位置設定画面の表示例を示す説明図
【図８】実施例１の紙幣整理処理を示すフローチャート
【図９】実施例２の把持部の側面を示す説明図
【図１０】実施例２の把持部の上面を示す説明図
【図１１】実施例２の紙幣整理処理を示すフローチャート
【図１２】実施例の整理情報テーブルの他の態様を示す説明図
【符号の説明】
【００８０】
１    紙幣整理装置
２    制御部
３    記憶部
５    投入部
５ａ  投入口
５ｂ  分離繰出機構
７    識別部
８ａ〜８ｅ  搬送路
９    表裏反転部
９ａ  反転ルート
９ｂ  無反転ルート
１０ａ〜１０ｆ  切替ブレード
１１  操作表示部
１２  リジェクトポケット
１３  オープンポケット
１５、１５ａ〜１５ｄ  一時集積部
１６  振分搬送路
１７  集積機構
１８  搬送部
２０  移送部
２１  把持部
２３  施封部
２４  受取口
２５  排出口
３１  ステージ
３２  フレーム
３３  基準板
３３ａ  基準面
３４  整位アーム
３５  シャッタ
４１  基台
４２  昇降ベルト
４３  クランプ部
４４  挿抜機構
４５、５６  モータ
４６ａ  モータギア
４６ｂ  回転軸
４６ｃ  リングギア
４７ａ、４７ｃ  リンク棒
４７ｂ、４７ｄ  連結ピン
４９  支持台
５１  移動台
５２  スライドレール
５３、５３ａ、５３ｂ  把持爪
５４  ブラケット
５５  円リンク
５５ａ  押上ピン
５７  引張スプリング
５８、６５  センサレバー
５９ａ  上死点センサ
５９ｂ  下死点センサ
６１  位置決め機構
６２  位置決めモータ
６３  ピニオンギア
６４  ラック
６６  位置センサ
【図１】
2008250982.tif 000003
【図２】
2008250982.tif 000004
【図３】
2008250982.tif 000005
【図４】
2008250982.tif 000006
【図５】
2008250982.tif 000007
【図６】
2008250982.tif 000008
【図７】
2008250982.tif 000009
【図８】
2008250982.tif 000010
【図９】
2008250982.tif 000011
【図１０】
2008250982.tif 000012
【図１１】
2008250982.tif 000013
【図１２】
2008250982.tif 000014